(57)【要約】【課題】必要に応じて、チャイルドレジスタント機能を無効にして使い勝手を向上させる。【解決手段】内キャップ１０、外キャップ２０に対してプッシュアンドターン方式のチャイルドレジスタント機能用の複数組の係合突部１５、１５…、２５、２５…をそれぞれ形成し、外キャップ２０上の操作ボタン２３を押し操作することにより内キャップ１０、外キャップ２０を相対回転不能に連結する。【選択図】図１
2018111533.tif 000002
【特許請求の範囲】
【請求項１】
容器の口部に着脱自在に装着するねじ式の内キャップと、該内キャップに対して相対回転可能に組み合わせる外キャップとを備えてなり、前記内キャップ、外キャップには、プッシュアンドターン方式のチャイルドレジスタント機能用の複数組の係合突部をそれぞれ形成するとともに、前記外キャップ上の操作部を押し操作して前記内キャップ、外キャップを相対回転不能に連結する連結手段を設けることを特徴とする容器のキャップ。
【請求項２】
前記操作部は、破断可能なブリッジ部を介して前記外キャップの上面に一体成形するとともに、前記外キャップに形成するガイド筒に相対回転不能に収納する操作ボタンであって、前記ガイド筒に沿って押し操作可能であることを特徴とする請求項１記載の容器のキャップ。
【請求項３】
前記操作部は、変形可能なリング状の薄肉部を介して前記外キャップの上面に一体成形する操作ボタンであって、前記薄肉部を変形させて押し操作可能であることを特徴とする請求項１記載の容器のキャップ。
【請求項４】
前記連結手段は、前記内キャップ、操作ボタンにそれぞれ形成する係合部を上下に係合させるとともに、前記内キャップ、操作ボタンにそれぞれ形成する嵌合部を嵌合させて外れ止めすることを特徴とする請求項２または請求項３記載の容器のキャップ。
【請求項５】
前記操作部は、前記外キャップの下端部に形成する変形可能な操作バンドであって、前記外キャップを前記内キャップの方向に押しながら内向きに押し操作して前記内キャップに下側から係合可能であり、前記連結手段は、前記操作バンドにより係合状態に保持する前記各係合突部であることを特徴とする請求項１記載の容器のキャップ。
【発明の詳細な説明】
【技術分野】
【０００１】
この発明は、乳幼児などが誤って簡単に開栓するおそれがないチャイルドレジスタント機能を有するとともに、必要に応じてそれを無効にすることができる容器のキャップに関する。
【背景技術】
【０００２】
容器の口部に装着するねじ式の内キャップと、内キャップの外部に付設する外キャップとを設け、内キャップ、外キャップの間にラチェット機構を組み込む安全キャップが知られている（たとえば特許文献１）。
【０００３】
従来の安全キャップは、内キャップの上部外周に複数の上向きのラチェット歯を形成するとともに、外キャップの天面には、複数の下向きのラチェット爪が形成されている。外キャップ側のラチェット爪は、単純な縦長の平板状であるが、内キャップ側のラチェット歯は、内キャップの開方向前方側が軸方向の垂直部に形成され、開方向後方側が斜め上向きの斜面に形成されている。また、外キャップは、内キャップに対して相対回転可能であり、軸方向に相対移動可能である。
【０００４】
そこで、外キャップを閉方向に回転させると、ラチェット爪がラチェット歯の垂直部に係合して内キャップを一体に駆動して容器の口部を閉じることができるが、外キャップを開方向に回転させても、ラチェット爪がラチェット歯の斜面上を滑って外キャップが空転し、容器の口部が不用意に開くことがない。容器の口部を正規に開栓するには、外キャップを内キャップに向けて軸方向に押しながら開方向に回転させる必要があり、このような操作を乳幼児が正しく実行することが難しく、プッシュアンドターン方式のチャイルドレジスタント機能を実現することができる。
【０００５】
なお、安全キャップとしての動作を一層確実にするために、外キャップ側のラチェット爪の開方向前方側にも斜面を形成し、ラチェット爪、ラチェット歯の各斜面は、緩急の２斜面を組み合わせてそれぞれ互いに密着可能な凹状、凸状に形成することも知られている（特許文献２）。
【先行技術文献】
【特許文献】
【０００６】
【特許文献１】特許第４８４４８０７号公報
【特許文献２】再表２０１３−１８３１８０号公報
【発明の概要】
【発明が解決しようとする課題】
【０００７】
かかる従来技術によるときは、安全キャップは、チャイルドレジスタント機能を無効に切り換えることができないので、それを必要としない使用環境では、開栓の手順が煩雑に感じられ、必ずしも使い勝手がよくないという問題があった。
【０００８】
そこで、この発明の目的は、かかる従来技術の問題に鑑み、内キャップ、外キャップに連結手段を設けることによって、必要に応じてチャイルドレジスタント機能を無効として良好な使い勝手を実現することができる容器のキャップを提供することにある。
【課題を解決するための手段】
【０００９】
かかる目的を達成するためのこの発明の構成は、容器の口部に着脱自在に装着するねじ式の内キャップと、内キャップに対して相対回転可能に組み合わせる外キャップとを備えてなり、内キャップ、外キャップには、プッシュアンドターン方式のチャイルドレジスタント機能用の複数組の係合突部をそれぞれ形成するとともに、外キャップ上の操作部を押し操作して内キャップ、外キャップを相対回転不能に連結する連結手段を設けることをその要旨とする。
【００１０】
なお、操作部は、破断可能なブリッジ部を介して外キャップの上面に一体成形するとともに、外キャップに形成するガイド筒に相対回転不能に収納する操作ボタンであって、ガイド筒に沿って押し操作可能とすることができ、変形可能なリング状の薄肉部を介して外キャップの上面に一体成形する操作ボタンであって、薄肉部を変形させて押し操作可能とすることができる。
【００１１】
また、連結手段は、内キャップ、操作ボタンにそれぞれ形成する係合部を上下に係合させるとともに、内キャップ、操作ボタンにそれぞれ形成する嵌合部を嵌合させて外れ止めしてもよい。
【００１２】
さらに、操作部は、外キャップの下端部に形成する変形可能な操作バンドであって、外キャップを内キャップの方向に押しながら内向きに押し操作して内キャップに下側から係合可能であり、連結手段は、操作バンドにより係合状態に保持する各係合突部であってもよい。
【発明の効果】
【００１３】
かかる発明の構成によるときは、内キャップ、外キャップの各係合突部は、外キャップを内キャップの方向に押しながら開方向に回転させると、互いに係合して内キャップを開方向に回転駆動するラチェット機構を形成し、プッシュアンドターン方式のチャイルドレジスタント機能を実現する。一方、内キャップ、外キャップに設ける連結手段は、外キャップ上の操作部を操作することにより、内キャップ、外キャップを相対回転不能に連結してチャイルドレジスタント機能を無効にすることができる。すなわち、このときの内キャップ、外キャップは、外キャップを内キャップの方向に押すことなく開方向、閉方向のいずれの方向に回転させても、内キャップを開方向、閉方向に正しく回転駆動することができ、一般のねじ式のキャップと同等の良好な使い勝手を実現することができる。
【００１４】
操作部は、ブリッジ部を介して外キャップの上面に一体成形する操作ボタンとすることにより、押し操作し易く、体裁よい外観を容易に実現することができる。必要に応じて、押し操作前の操作ボタンの上面を外キャップの上面に揃えることができるからである。なお、操作ボタンは、押し操作することによりブリッジ部が破断され、ガイド筒内を下降するとともにガイド筒を介して相対回転不能に保持され、連結手段とともに内キャップ、外キャップを相対回転不能に連結させる。ただし、操作ボタンの外形は、ガイド筒の内部形状に適合させるものとし、両者は、少なくとも一対の互いに係合可能な凹凸を周方向に有する相対回転不能な形状であればよい。
【００１５】
操作部は、リング状の薄肉部を介して外キャップの上面に一体成形する操作ボタンとすることにより、外形を円形にして一層良好な外観を実現することができる上、ガイド筒や、破断可能なブリッジ部を必要としないため、外キャップの全体構成を簡略化するとともに、操作性を向上させることができる。なお、このときの操作ボタンは、リング状の薄肉部が変形することにより押し操作可能であり、薄肉部を介して外キャップとの一体性を保ち、外キャップに対して相対回転不能であって、押し操作されることにより連結手段とともに内キャップ、外キャップを相対回転不能に連結させる。
【００１６】
外キャップ上の操作ボタンと組み合わせる連結手段は、内キャップ、操作ボタンにそれぞれ形成する係合部を係合させるとともに、内キャップ、操作ボタンにそれぞれ形成する嵌合部を弾発的に嵌合させて外れ止めすることにより、操作ボタンを押し操作するだけで内キャップ、外キャップを一挙動により相対回転不能に連結してチャイルドレジスタント機能を無効にすることができる。なお、内キャップ側、操作ボタン側の各係合部は、一方を円周上に多数個連続的に配列し、それと同数または整数分の１の個数の他方を同一円周上に等配して配列することにより、前者の配列ピッチ相当の細かいピッチごとに両者を相対回転不能に係合させることができる。また、内キャップ側、外キャップ側の外れ止め用の嵌合部は、内キャップ、外キャップの相対回転位置に依存しないように、たとえば各係合部を配列する円の外側または内側に配置する環状リブとして形成することができる。
【００１７】
操作部は、外キャップの下端部に形成する操作バンドとすることにより、外部から目立つことがなく、外キャップの上面を平滑にすることができることと相俟って、一層スマートな外観を実現することができる。加えて、このときの連結手段は、チャイルドプルーフ機能用の各係合突部を係合状態に保持することで足りるから、内キャップ、外キャップの全体構成を最も単純にまとめることができる。なお、外キャップ側の操作バンドは、少なくとも一対を軸対称に配置することが好ましい。
【図面の簡単な説明】
【００１８】
【図１】全体構成説明図
【図２】内キャップの構成説明図
【図３】外キャップの構成説明図
【図４】動作状態説明図
【図５】要部拡大動作説明図
【図６】他の実施の形態を示す要部斜視説明図（１）
【図７】他の実施の形態を示す要部斜視説明図（２）
【図８】他の実施の形態を示す構成説明図（１）
【図９】図８の動作状態説明図
【図１０】他の実施の形態を示す図２相当図
【図１１】他の実施の形態を示す図３相当図
【図１２】図１０、図１１の動作状態説明図（１）
【図１３】図１０、図１１の動作状態説明図（２）
【図１４】他の実施の形態を示す構成説明図（２）
【図１５】図１４の動作状態説明図
【発明を実施するための形態】
【００１９】
以下、図面を以って発明の実施の形態を説明する。
【００２０】
容器のキャップは、内キャップ１０、外キャップ２０を組み合わせてなる（図１）。ただし、図１（Ａ）は、全体斜視図であり、図１（Ｂ）、（Ｃ）は、それぞれ内キャップ１０、外キャップ２０の軸方向の相対移動状態を示す使用状態中央縦拡大断面図である。
【００２１】
容器のキャップは、容器Ｂの口部Ｂ1 に着脱自在に装着して使用される。容器Ｂの口部Ｂ1 の外周には、雄ねじＢ2 が形成され、口部Ｂ1 の上端には、内キャップ１０との間にシールＢ3 が介装されている。
【００２２】
内キャップ１０は、スカート部１１の上方に小径部１２を形成し（図１、図２）、スカート部１１の上端を天板１３によって閉じるとともに、天板１３の中央部に上向きの短筒１４を突設して形成されている。ただし、図２（Ａ）〜（Ｃ）は、それぞれ内キャップ１０の斜視図、拡大上面図、中央縦拡大断面図である。
【００２３】
スカート部１１の内面には、容器Ｂ側の雄ねじＢ2 に適合する雌ねじ１１ａが形成されており、外周下部には、環状リブ１１ｂが形成されている。スカート部１１の上端は、斜めの段部１１ｃを介して小径部１２に連続している。内キャップ１０は、雌ねじ１１ａ、雄ねじＢ2 を介して容器Ｂの口部Ｂ1 に着脱するねじ式に形成するとともに、天板１３の下面のシールＢ3 を介して閉栓時の締付限界が規定されている。
【００２４】
内キャップ１０の斜めの段部１１ｃ上には、上向きの係合突部１５、１５…が周方向に等間隔に形成されている。各係合突部１５は、段部１１ｃの幅にほぼ相当する厚さを有するとともに、小径部１２の外周と一体の縦長の湾曲ブロック状に形成されている。また、各係合突部１５の上端部は、内キャップ１０の開方向（図２（Ａ）、（Ｂ）の各矢印Ｋ方向）後方側が斜面１５ａに切り欠かれている。
【００２５】
短筒１４の内周上端部には、環状リブの嵌合部１４ａが形成されている。また、短筒１４の内周下部には、複数の係合部１６、１６…が等配して形成されている。各係合部１６は、短筒１４の内面、天板１３の上面の双方と一体になるようにして、内向き、上向きの双方にＶ字状に尖らせて形成されている。
【００２６】
外キャップ２０は、下から上に向けて僅かに縮径するテーパ状のスカート部２１と、スカート部２１の上端を閉じる天井部２２と、天井部２２の中央部に配置する花形の操作ボタン２３とを備えている（図１、図３）。ただし、図３（Ａ）〜（Ｄ）は、それぞれ外キャップ２０の下側の斜視図、下面図、中央縦拡大断面図、同図（Ｂ）の要部拡大図である。なお、操作ボタン２３の周囲には、操作ボタン２３の外形に適合する花形のガイド筒２４が天井部２２から垂設されている。
【００２７】
スカート部２１の内周下端部には、環状リブ２１ａが形成され、環状リブ２１ａの上部には、内キャップ１０の環状リブ１１ｂを上下に移動可能に収納する広幅の環状凹部２１ｂが形成されている。また、スカート部２１の上部内面には、下向きの係合突部２５、２５…が周方向に等間隔に形成されている。各係合突部２５は、スカート部２１の内面、天井部２２の下面と一体の縦長の湾曲ブロック状に形成されている。各係合突部２５の下端部は、外キャップ２０の開方向（図３（Ａ）、（Ｂ）の各矢印Ｋ方向）前方側が斜面２５ａに切り欠かれている。各係合突部２５は、内キャップ１０側の各係合突部１５に対応しており、両者の斜面２５ａ、１５ａは、同一の傾き、長さに形成されている。
【００２８】
操作ボタン２３の全周は、ガイド筒２４の内面との間に均一な隙間２３ａが形成されている。操作ボタン２３は、破断可能なブリッジ部２３ｂ、２３ｂ…を介してガイド筒２４の内面に連結され、外キャップ２０の上面に一体成形されている。操作ボタン２３の下面中央部には、短筒２６が垂設されており、短筒２６の外周下部には、多数の係合部２７、２７…が放射状に形成されている。各係合部２７は、外向き、下向きの双方にＶ字状に尖る左右の突起部２７ａ、２７ａを介し、内向き、上向きの双方にＶ字状に尖る凹溝状に形成されている。ただし、各係合部２７の上部は、環状リブの嵌合部２６ａを外周に形成する短筒２６の円板状の基部の下面により仕切られており、各突起部２７ａは、短筒２６の外面、円板状の基部の下面の双方と一体に形成されている。
【００２９】
係合部２７、２７…は、内キャップ１０側の係合部１６、１６…に対応しており、係合部１６、１６…の整数倍の個数が短筒２６の外周に等ピッチに連続的に配列されている。なお、短筒２６は、内キャップ１０側の短筒１４と同一高さに形成され、環状リブの嵌合部２６ａは、内キャップ１０側の嵌合部１４ａに対応している。
【００３０】
内キャップ１０側、外キャップ２０側の各係合突部１５、２５は、互いに上下に対応している（図１）。一方、外キャップ２０は、内キャップ１０に対して軸方向に相対移動可能であり、内キャップ１０に向けて軸方向に下降限にまで押し下げると、各組の係合突部１５、２５の上部、下部が互いに係合する（図１（Ｂ））。また、外キャップ２０が上昇限にあると、各組の係合突部１５、２５は、上下に離れて係合を脱する（図１（Ｃ））。ただし、外キャップ２０の下降限は、外キャップ２０の天井部２２の下面が内キャップ１０の上端に当接することにより規制され（図１（Ｂ））、上昇限は、外キャップ２０の内周下端部の環状リブ２１ａが内キャップ１０の外周の環状リブ１１ｂに対して下側から係合することにより規制される（図１（Ｃ））。そこで、外キャップ２０は、内キャップ１０に対して取外し不能に組み合わされている。
【００３１】
容器のキャップは、外キャップ２０を軸方向に押し下げて閉方向（図２、図３の各矢印Ｋ方向と反対方向）に回転させると、各係合突部２５の閉方向前方側の垂直部分が内キャップ１０の各係合突部１５の閉方向後方側の垂直部分に係合し、内キャップ１０を閉方向に回転駆動して容器Ｂの口部Ｂ1 を確実に閉栓することができる。
【００３２】
一方、容器Ｂの口部Ｂ1 を開栓するときは、外キャップ２０を内キャップ１０に向けて軸方向に押しながら開方向（図２、図３の各矢印Ｋ方向）に回転させる。このとき、外キャップ２０側の各係合突部２５は、内キャップ１０側の対応する係合突部１５に対し、斜面２５ａが斜面１５ａに密着して係合することにより、内キャップ１０に開方向の駆動力を伝達して内キャップ１０を回転させ、口部Ｂ1 を開栓することができる。なお、外キャップ２０に加える軸方向の押圧力が小さいと、外キャップ２０側の斜面２５ａが内キャップ１０側の斜面１５ａ上を滑って外キャップ２０が浮き上がり（図１（Ｃ））、各係合突部１５、２５の係合が外れるため、容器Ｂの口部Ｂ1 が誤って開栓されることがない。すなわち、内キャップ１０、外キャップ２０の各係合突部１５、２５は、プッシュアンドターン方式のチャイルドレジスタント機能を実現することができる。
【００３３】
容器のキャップは、外キャップ２０上の操作部に相当する操作ボタン２３を押し操作することにより、チャイルドレジスタント機能を一挙動により無効にすることができる（図４）。ただし、図４（Ａ）、（Ｂ）は、それぞれ図１（Ａ）相当の斜視図、図１（Ｂ）相当の縦拡大断面図であり、図４（Ｃ）、（Ｄ）は、それぞれ同図（Ｂ）のＸ1 −Ｘ1 線矢視相当断面図、要部拡大模式図である。
【００３４】
操作ボタン２３を押し操作すると、操作ボタン２３の周囲のブリッジ部２３ｂ、２３ｂ…が破断され、操作ボタン２３は、ガイド筒２４に沿って下降し、下面の短筒２６を介して内キャップ１０の天板１３上に着地するとともに、内キャップ１０側の短筒１４の上端が操作ボタン２３の下面に到達する（図４（Ｂ）、（Ｄ））。そこで、このとき、外キャップ２０側の嵌合部２６ａは、内キャップ１０側の嵌合部１４ａに対して弾発的に嵌合し、嵌合部２６ａ、１４ａは、外キャップ２０の操作ボタン２３、内キャップ１０を分離不能に外れ止めする。
【００３５】
一方、このとき、内キャップ１０側、外キャップ２０側の各組の係合突部１５、２５は、それぞれの上部、下部が互いに係合する（図４（Ｂ））。また、内キャップ１０側の係合部１６、１６…は、その全数が外キャップ２０側の係合部２７、２７…に対して規制正しく上下に係合し（図４（Ｃ））、内キャップ１０、外キャップ２０を相対回転不能に拘束する。すなわち、内キャップ１０、外キャップ２０は、操作ボタン２３を押し操作することにより、操作ボタン２３と、嵌合部１４ａ、２６ａ、係合部１６、１６…、２７、２７…からなる連結手段とを介して相対回転不能に連結される。ただし、嵌合部２６ａ、係合部２７、２７…を形成する操作ボタン２３は、ガイド筒２４内に相対回転不能に収納され、外キャップ２０に対して相対回転不能である。そこで、このような連結状態において、外キャップ２０を開方向、閉方向に回転させれば、内キャップ１０は、一般のねじ式のキャップと全く同様に、それぞれ開方向、閉方向に回転駆動することができる。
【００３６】
なお、チャイルドレジスタント機能が有効であるとき、内キャップ１０側、外キャップ２０側の各係合突部１５、２５の相対位置関係は、たとえば図１（Ｂ）のように外キャップ２０を内キャップ１０の方向に下降限にまで移動させるとき、各係合突部１５、２５の斜面１５ａ、２５ａが同一高さ位置に対向することが好ましい（図５（Ａ）、（Ｂ））。また、図１（Ｃ）のように外キャップ２０を内キャップ１０から最大限に浮かせるとき、各係合突部１５、２５の上端、下端がほぼ同一高さ位置で係合を脱することが好ましい（図５（Ｃ））。前者によれば、外キャップ２０から内キャップ１０に対する開方向の駆動力の伝達性能を最大にして良好な使用感を得ることができる。また、後者によれば、外キャップ２０が開方向に空転するときの衝撃音などを最小にして、乳幼児などが玩具として持ち遊んだりする機会を少なくすることができる。ただし、図５（Ａ）〜（Ｃ）において、各矢印Ｋ方向は、内キャップ１０、外キャップ２０の開方向を示す。
【他の実施の形態】
【００３７】
外キャップ２０上の操作部としての操作ボタン２３は、正方形にしてもよく（図６）、円形にして径方向に一対の凸部を対称形に形成してもよい（図７）。ただし、図６（Ａ）、（Ｂ）は、それぞれ図１（Ａ）、図４（Ａ）相当図であり、図７（Ａ）、（Ｂ）も同様である。一般に、操作ボタン２３は、同形のガイド筒２４内に相対回転不能に収納され、押し操作可能であればよい。
【００３８】
外キャップ２０上の操作ボタン２３は、変形可能なリング状の薄肉部２３ｃを介して外キャップ２０の上面に一体成形することができる（図８、図９）。ただし、図８（Ａ）、（Ｂ）、図９（Ａ）、（Ｂ）は、それぞれ図１（Ａ）、（Ｂ）、図４（Ａ）、（Ｂ）相当の斜視図、中央縦拡大断面図である。
【００３９】
図８の外キャップ２０は、図１の外キャップ２０に対し、操作ボタン２３の形態が異なること、ガイド筒２４を有しないこと以外に格別な変更がない。また、図８の内キャップ１０は、図１の内キャップ１０と同一である。なお、図８において、操作ボタン２３は、薄肉部２３ｃを介し、外キャップ２０上に相対回転不能に保持されており、薄肉部２３ｃは、同心円状の折れ線２３ｄ、２３ｄを介して変形可能である。そこで、内キャップ１０、外キャップ２０は、各組の係合突部１５、２５が適切に係脱することにより所定のチャイルドレジスタント機能を発揮することができる。
【００４０】
薄肉部２３ｃを変形させて操作ボタン２３を押し操作すると（図９）、内キャップ１０、外キャップ２０は、図４（Ａ）〜（Ｄ）におけると同様にして一挙動により相対回転不能に連結され、チャイルドレジスタント機能を無効にすることができる。ただし、図９（Ｂ）において、内キャップ１０側、外キャップ２０側の各係合突部１５、２５は、上下に離れて係合を脱している。
【００４１】
なお、図８の薄肉部２３ｃは、操作ボタン２３の押し操作のストロークが所定量を超えると、折れ線２３ｄ、２３ｄを介して図９の形状に瞬時に弾発的に移行し、操作ボタン２３に上向きの力を加えない限り、元の形状に復帰しない。ただし、薄肉部２３ｃは、操作ボタン２３を相対回転不能に保持して押し操作可能である限り、図示以外の形態であってもよい。
【００４２】
内キャップ１０、外キャップ２０を連結するための内キャップ１０側、外キャップ２０側の係合部１６、１６…、２７、２７…は、それぞれ内キャップ１０、外キャップ２０の半径方向に長く形成して係合強度を向上させ、連結性を向上させることができる（図１０、図１１）。ただし、図１０（Ａ）〜（Ｃ）は、それぞれ図２（Ａ）〜（Ｃ）相当図であり、図１１（Ａ）〜（Ｄ）は、それぞれ図３（Ａ）〜（Ｄ）相当図である。
【００４３】
内キャップ１０側の係合部１６、１６…は、天板１３上において、環状リブの嵌合部１４ａ付きの短筒１４の内面から中心方向に向けて短筒１４の半径方向に配置されている（図１０）。各係合部１６は、内向き方向に厚さを一様に漸減させるとともに、上下方向の高さを一定にして上縁部を山形に形成しており、短筒１４の内面、天板１３の上面の双方と一体に連続している。
【００４４】
外キャップ２０側の係合部２７、２７…は、操作ボタン２３の下面の小径の短筒２６の外面に対して放射状に等配して付設する突起部２７ａ、２７ａ…を介し、短筒２６の外側半径方向に放射状に配置されている（図１１）。各突起部２７ａは、外向き方向に厚さを一様に漸増させるととともに、下縁部を下向き山形に形成し、山形の稜線の位置を短筒２６の下端に合わせて外側の先端を斜め下向きの斜面に形成している。なお、各突起部２７ａは、先端部が共通のリング状の補強部２６ｂを介して操作ボタン２３の下面と一体に連続しており、中間部、基部がそれぞれ操作ボタン２３の下面、短筒２６の外面と一体に連続している。また、補強部２６ｂの外周には、環状リブの嵌合部２６ａが形成されている。突起部２７ａ、２７ａ…によって区画される係合部２７、２７…は、内キャップ１０側の係合部１６、１６…と同数であって、各係合部１６に個別に対応している。
【００４５】
内キャップ１０、外キャップ２０は、操作ボタン２３を押し操作しないとき、それぞれの係合突部１５、１５…、２５、２５…を介してプッシュアンドターン方式のチャイルドレジスタント機能を実現することができる（図１２）。すなわち、外キャップ２０を軸方向に押し下げて閉方向に回転させて容器Ｂの口部Ｂ1 を閉栓し、外キャップ２０を軸方向に押しながら開方向に回転させて口部Ｂ1 を開栓することができる。なお、このとき、内キャップ１０側の各係合部１６は、外キャップ２０側の突起部２７ａ、２７ａ…による各係合部２７と干渉することがない。ただし、図１２（Ａ）、（Ｂ）は、それぞれ図１（Ｂ）、（Ｃ）相当図である。
【００４６】
内キャップ１０、外キャップ２０は、操作ボタン２３を押し操作することにより、チャイルドレジスタント機能を一挙動により無効にすることができる（図１３）。ただし、図１３（Ａ）〜（Ｃ）は、それぞれ図４（Ｂ）〜（Ｄ）相当図であり、図１３（Ａ）は、図４（Ｂ）相当の縦拡大断面図、図１３（Ｂ）、（Ｃ）は、それぞれ同図（Ａ）のＸ2 −Ｘ2 線矢視相当断面図、要部拡大模式図である。
【００４７】
操作ボタン２３を押し操作すると、外キャップ２０側の嵌合部２６ａが内キャップ１０側の嵌合部１４ａに弾発的に嵌合して外れ止めされるとともに、内キャップ１０の係合部１６、１６…と、外キャップ２０の突起部２７ａ、２７ａ…による係合部２７、２７…とが上下に係合し、内キャップ１０、外キャップ２０が相対回転不能に連結される。そこで、このときの内キャップ１０、外キャップ２０は、外キャップ２０を介して正逆に一体に回転駆動し、口部Ｂ1 を開栓し、閉栓することができる。また、係合部１６、１６…、２７、２７…は、係合組数が多く、係合長さが長いため、必要十分な係合強度を容易に実現することができる。
【００４８】
なお、内キャップ１０側、外キャップ２０側の係合部１６、１６…、２７、２７…は、上下に係合して必要十分な係合強度が得られる限り、それぞれの係合組数や形状・大きさなどを図示以外の任意の形態に変更してもよい。また、内キャップ１０側、外キャップ２０側の環状リブの嵌合部１４ａ、２６ａは、係合部１６、１６…、２７、２７…の外側に形成するに代えて、内キャップ１０の天板１３の上面中心部に設ける小径の円板の外周、操作ボタン２３の下面の短筒２６の内周にそれぞれ上下に嵌合可能に形成してもよい。
【００４９】
外キャップ２０上の操作部としての操作ボタン２３は、スカート部２１の下端部に形成する内向きに押し操作可能な操作バンド２８、２８に代えることができる（図１４）。ただし、図１４（Ａ）、（Ｂ）は、それぞれ図１（Ａ）、（Ｃ）相当の斜視図、中央縦拡大断面図であり、図１４（Ｃ）は、同図（Ｂ）のＹ1 −Ｙ1 線矢視相当断面図である。
【００５０】
図１４において、外キャップ２０は、スカート部２１の外周下端部に対し、それぞれ水平の隙間２８ａを介して一対の横長の薄肉の操作バンド２８、２８が対称位置に形成されている。また、各操作バンド２８は、両端、中央部の縦の折れ線２８ｂ、２８ｂ…を介して内向きに変形可能である。なお、図１４の外キャップ２０は、図１の外キャップ２０に対し、スカート部２１を短くするとともに、操作ボタン２３、ガイド筒２４の他、操作ボタン２３の下面の係合部２７、２７…、嵌合部２６ａを形成する短筒２６の全部が省略されている。一方、図１４の内キャップ１０は、図１の内キャップ１０に対し、天板１３上の短筒１４、係合部１６、１６…を省略するとともに、小径部１２が短くなっている。
【００５１】
図１４の内キャップ１０、外キャップ２０は、それぞれに形成する各組の係合突部１５、２５を介し、所定のプッシュアンドターン方式のチャイルドレジスタント機能を発揮することができる。
【００５２】
一方、外キャップ２０を下降限にまで押し下げて操作バンド２８、２８を内向きに押し操作し、折れ線２８ｂ、２８ｂ…を介して内向きに変形させると（図１５（Ａ））、各操作バンド２８の上縁の中央部が内キャップ１０のスカート部１１の下端に下側から係合し（図１５（Ｂ）、（Ｃ））、外キャップ２０を下降限にロックすることができる。ただし、このときの各操作バンド２８は、内向きに弾発的に変形しており、元の形状に不用意に復帰することがない。また、このときの外キャップ２０側、内キャップ１０側の各係合突部２５、１５は、互いに上下に係合する係合状態に保持され、操作バンド２８、２８とともに、外キャップ２０、内キャップ１０を実質的に相対回転不能に連結する連結手段となっている。そこで、容器Ｂの口部Ｂ1 は、外キャップ２０を開方向、閉方向に回転させるだけで開栓し、閉栓することができ、チャイルドレジスタント機能を無効にすることができる。
【００５３】
ただし、図１５（Ａ）、（Ｂ）は、それぞれ操作バンド２８、２８を押し操作したときの図１４（Ａ）、（Ｂ）相当の斜視図、中央縦拡大断面図であり、図１５（Ｃ）は、同図（Ｂ）のＹ2 −Ｙ2 線矢視相当断面図である。なお、各操作バンド２８は、内キャップ１０のスカート部１１の下端に係合させるに代えて、内キャップ１０のスカート部１１の外面中間部に水平に周回するとともに操作バンド２８の幅より広幅に形成する帯状の係合凹溝の上縁に下側から係合させてもよく、スカート部１１の外面下端に周回するように形成する下向きの係合段部の上縁に下側から係合させてもよい。また、各操作バンド２８は、このようなスカート部１１側の係合凹溝または係合段部に対応するように、スカート部２１の中間部または下端部に形成してもよい。
【００５４】
以上の説明において、内キャップ１０、外キャップ２０は、それぞれ適切な硬質プラスチック材料により一体成形することができる。また、容器Ｂは、プラスチック製またはガラス製とする。
【産業上の利用可能性】
【００５５】
この発明は、必要に応じてチャイルドレジスタント機能を無効にすることが要請される任意の用途の容器のキャップとして広く好適に適用することができる。
【符号の説明】
【００５６】
Ｂ…容器
Ｂ1 …口部
１０…内キャップ
１４ａ…嵌合部
１５…係合突部
１６…係合部
２０…外キャップ
２３…操作ボタン
２３ｂ…ブリッジ部
２３ｃ…薄肉部
２４…ガイド筒
２５…係合突部
２６ａ…嵌合部
２７…係合部
２８…操作バンド
特許出願人      伸晃化学株式会社
【図１】
2018111533.tif 000003
【図２】
2018111533.tif 000004
【図３】
2018111533.tif 000005
【図４】
2018111533.tif 000006
【図５】
2018111533.tif 000007
【図６】
2018111533.tif 000008
【図７】
2018111533.tif 000009
【図８】
2018111533.tif 000010
【図９】
2018111533.tif 000011
【図１０】
2018111533.tif 000012
【図１１】
2018111533.tif 000013
【図１２】
2018111533.tif 000014
【図１３】
2018111533.tif 000015
【図１４】
2018111533.tif 000016
【図１５】
2018111533.tif 000017